(57)【要約】【課題】  簡単な構成により、外光の映り込みを抑制できるようにしたフラット型ＣＲＴテレビジョン受像機およびフラット型ＣＲＴ表示装置を提供することを目的とする。【解決手段】  ガラスのチューブ３０からなり、内部が高真空に維持されているとともに、画像表示面である管面３１がフラットに形成されたＣＲＴ３と、このＣＲＴ３を収納する本体ケース２と、を備えたフラット型ＣＲＴ表示装置１において、管面３１は、垂直軸Ｙに対して当該管面３１の上端３１ａ側が下端３１ｂ側より張り出す方向に傾斜するように形成する。【選択図】図１
2008198504.tif 000002
【特許請求の範囲】
【請求項１】
ガラスのチューブからなり、内部が高真空に維持されているとともに、画像表示面である管面がフラットに形成されたＣＲＴと、このＣＲＴを収納する本体ケースと、を備えたフラット型ＣＲＴテレビジョン受像機において、
前記管面は、当該管面と、この管面の内側で蛍光膜が形成され、略垂直に配設される裏面との間の肉厚を、上部を厚く、下部を薄くすることにより、当該管面の上端側が下端側より張り出す方向に傾斜するように形成し、当該管面が、前記裏面に対して傾斜する角度を、９〜１１度の範囲に設定したことを特徴とするフラット型ＣＲＴテレビジョン受像機。
【請求項２】
ガラスのチューブからなり、内部が高真空に維持されているとともに、画像表示面である管面がフラットに形成されたＣＲＴと、このＣＲＴを収納する本体ケースと、を備えたフラット型ＣＲＴ表示装置において、
前記管面は、垂直軸に対して当該管面の上端側が下端側より張り出す方向に傾斜するように形成したことを特徴とするフラット型ＣＲＴ表示装置。
【請求項３】
前記管面の傾斜は、前記管面と、この管面の内側で蛍光膜が形成され、略垂直に配設された裏面との間の肉厚を、上部を厚く、下部を薄くすることにより、当該管面の上端側が下端側より張り出す方向に傾斜するように形成したことを特徴とする請求項２に記載のフラット型ＣＲＴ表示装置。
【請求項４】
前記管面の傾斜は、当該管面と、この管面の内側で蛍光膜が形成された裏面との間の肉厚を一定にし、前記チューブの外形を、前記管面が垂直軸に対して当該管面の上端側が下端側より張り出す方向に傾斜するように形成し、当該管面と、前記裏面とが傾斜する角度を同一としたことを特徴とする請求項２に記載のフラット型ＣＲＴ表示装置。
【請求項５】
前記管面の傾斜は、前記ＣＲＴを前記本体ケース内に、当該管面が垂直軸に対して当該管面の上端側が下端側より張り出す方向に傾斜するように配置することにより形成したことを特徴とする請求項２に記載のフラット型ＣＲＴ表示装置。
【請求項６】
前記管面が傾斜する角度は、７〜１３度の範囲に設定したことを特徴とする請求項２乃至請求項５のいずれかに記載のフラット型ＣＲＴ表示装置。
【発明の詳細な説明】
【技術分野】
【０００１】
本発明は、ＣＲＴ（Ｃａｔｈｏｄｅ  Ｒａｙ  Ｔｕｂｅ：陰極線管）を用いたフラット型ＣＲＴテレビジョン受像機およびフラット型ＣＲＴ表示装置に関し、特に、簡単な構成により、外光の映り込みを抑制できるようにしたものである。
【背景技術】
【０００２】
一般に、ＣＲＴを用いたテレビジョン受像機などのＣＲＴ表示装置は、本体ケース内にＣＲＴが収納されていて、ＣＲＴの内部に設けられた電子銃からＣＲＴの管面の裏側に設けられた蛍光膜に電子ビームを照射して、蛍光膜を光らせることにより、管面にテレビジョン信号に基づく画像などを表示させる。このようなＣＲＴは、密閉されたガラスのチューブからなり、該チューブの内部は、電子ビームの流れを妨げないように高真空になっている。このように内部が高真空になっていると、大気圧がチューブを押し潰そうとするので、この圧力に耐えるために、ガラスの肉厚は厚くなっている。また、ＣＲＴの管面を緩やかな曲面にすると、上述の圧力に耐えるのに効果的であるが、反面、表示画像が歪んで見えるという弱点があるため、最近は、管面のガラスの肉厚を厚くして強度を確保し、管面をフラットにしたものが主流となっている。特に、管面が大面積（大画面）でかつフラットなＣＲＴがユーザに好まれている。
【０００３】
ところで、このような管面がフラットなＣＲＴを用いたフラット型ＣＲＴテレビジョン受像機などからなるフラット型ＣＲＴ表示装置にあっては、通常、管面が視線に対して略垂直に配置されるので、外光による反射が略真っ直ぐに反射される。このため、映りこみ（管面に自分の姿などが映る）が多く、テレビジョンの画像が観にくい傾向にある。この対策として、例えば、管面にアンチグレヤフイルムや、アンチリフレクションフイルムを貼ることが行われているが、このような、アンチグレヤフイルムや、アンチリフレクションフイルムを貼ると、テレビジョンの画像が低下するといった問題があった。
【０００４】
また、車両内に上向きに設置した表示機の画像をフロントガラス面に写し、運転者が前方を向いたまま表示機の画像を観られるようにしたヘッドアップディスプレにおいて、フロントガラスの厚みを断面楔状として、２重像の映り込みを防止するようにしたものがある(例えば、特許文献１参照）。
【特許文献１】特開平２−２７９４３７号公報
【発明の開示】
【発明が解決しようとする課題】
【０００５】
しかし、前述の特許文献１記載の構成では、車両内に上向きに設置した表示機の画像をフロントガラス面に写し、運転者が前方を向いたまま表示機の画像を観られるようにしたヘッドアップディスプレに関するものであって、フラット型ＣＲＴ表示装置における外光の映り込みを抑制することはできないし、また、一切考慮されていない。
【０００６】
本発明は、上述した問題を解決するためになされたものであり、簡単な構成により、外光の映り込みを抑制できるようにしたフラット型ＣＲＴテレビジョン受像機およびフラット型ＣＲＴ表示装置を提供することを目的とする。
【課題を解決するための手段】
【０００７】
かかる目的を達成するため、本発明では、ガラスのチューブからなり、内部が高真空に維持されているとともに、画像表示面である管面がフラットに形成されたＣＲＴと、このＣＲＴを収納する本体ケースと、を備えたフラット型ＣＲＴテレビジョン受像機において、管面は、当該管面と、この管面の内側で蛍光膜が形成され、略垂直に位置する裏面との間の肉厚を、上部を厚く、下部を薄くすることにより、当該管面の上端側が下端側より張り出す方向に傾斜するように形成し、当該管面が、前記裏面に対して傾斜する角度を、９〜１１度の範囲に設定する。
【０００８】
この構成によれば、ＣＲＴの管面が、当該管面の上端側が下端側より張り出す方向に傾斜するように形成され、当該管面が、前記裏面に対して傾斜する角度が、９〜１１度の範囲に設定されている。従って、管面に略水平方向から入ってくる外光は、より効果的に下向きに反射され、管面に対する映り込みを抑制することができる。しかも、その構成は、管面と、裏面との間の肉厚を、上部を厚く、下部を薄くすることにより、当該管面の上端側が下端側より張り出す方向に傾斜するように形成するのみで良く、極めて簡単である。更に、部品点数も増加することがなく、この種装置のコストの低減を図りつつ、所望の効果を得ることができる。
【０００９】
また、本発明においては、ガラスのチューブからなり、内部が高真空に維持されているとともに、画像表示面である管面がフラットに形成されたＣＲＴと、このＣＲＴを収納する本体ケースと、を備えたフラット型ＣＲＴ表示装置において、管面は、垂直軸に対して当該管面の上端側が下端側より張り出す方向に傾斜するように形成する。
【００１０】
この構成によれば、ＣＲＴの管面が、垂直軸に対して当該管面の上端側が下端側より張り出す方向に傾斜するように形成されている。従って、管面に略水平方向から入ってくる外光は、下向きに反射され、管面に対する映り込みを抑制することができる。しかも、その構成は、当該管面の上端側が下端側より張り出す方向に傾斜するように形成するのみで良く、極めて簡単である。また、部品点数も増加することがなく、この種装置のコストの低減を図りつつ、所望の効果を得ることができる。
【００１１】
また、本発明においては、管面の傾斜は、管面と、この管面の内側で蛍光膜が形成され、略垂直に配設された裏面との間の肉厚を、上部を厚く、下部を薄くすることにより、当該管面の上端側が下端側より張り出す方向に傾斜するように形成する。
【００１２】
この構成によれば、管面の傾斜を、管面と、裏面との間の肉厚を、上部を厚く、下部を薄くすることにより、当該管面の上端側が下端側より張り出す方向に傾斜するのみで良く、その構成は、極めて簡単であり、都合がよい。
【００１３】
また、本発明においては、管面の傾斜は、当該管面と、この管面の内側で蛍光膜が形成された裏面との間の肉厚を一定にし、チューブの外形を、管面が垂直軸に対して当該管面の上端側が下端側より張り出す方向に傾斜するように形成し、当該管面と、裏面とが傾斜する角度を同一に構成する。この構成によれば、チューブの外形の形状を、垂直軸に対して当該管面の上端側が下端側より張り出す方向に傾斜するようにし、当該管面と、裏面とが傾斜する角度を同一にすれば良い。この結果、管面と、裏面との肉厚を厚くする必要がない。この結果、ＣＲＴの重量が増すことがなく、この種装置のより軽量化を図ることができる。
【００１４】
また、本発明においては、管面の傾斜は、ＣＲＴを本体ケース内に、当該管面が垂直軸に対して当該管面の上端側が下端側より張り出す方向に傾斜するように配置することにより形成する。この構成によれば、ＣＲＴを本体ケース内に、当該管面が垂直軸に対して当該管面の上端側が下端側より張り出す方向に傾斜するように配置すれば良く、ＣＲＴそのものに特別な加工を施す必要がなく、都合がよい。しかも、ＣＲＴは、既存のものに対しても適用することができるので、都合がよい。
【００１５】
更に、本発明においては、管面が傾斜する角度を、垂直軸に対して７〜１３度の範囲に設定する。この構成によれば、管面に略水平方向から入ってくる外光は、効果的に下向きに反射され、管面に対する映り込みを抑制することができので、都合がよい。
【発明の効果】
【００１６】
本発明によれば、簡単な構成により、外光の映り込みを抑制できるようにしたフラット型ＣＲＴテレビジョン受像機およびフラット型ＣＲＴ表示装置を得ることができる。
【発明を実施するための最良の形態】
【００１７】
（第１実施形態）
以下、本発明の第１実施形態を図１および図２に基づいて説明する。図１は、本発明の第１実施形態に係るフラット型ＣＲＴ表示装置であるフラット型ＣＲＴテレビジョン受像機の概略構成を示す側断面図である。図２は、管面を傾斜させる角度を説明するための説明図である。
【００１８】
図１に示すように、フラット型ＣＲＴテレビジョン受像機１は、フラット型ＣＲＴ表示装置の一例であり、例えば、アンテナ（図示省略）により受信したテレビジョン信号に基づく画像をＣＲＴ３に表示する。フラット型ＣＲＴテレビジョン受像機１の本体ケース２内には、ＣＲＴ３、該ＣＲＴ３を駆動する回路（図示省略）が実装された駆動基板１１、フラット型ＣＲＴテレビジョン受像機１の各部を制御する回路（図示省略）が実装された制御基板１２、電源回路やフライバッグトランスなど（図示省略）が実装された電源基板１３、および操作スイッチ（図示省略）の出力信号等を検出する回路（図示省略）が実装された検出基板１４などが収納されている。また、ＣＲＴ３は密閉されたガラスのチューブ３０からなり、このチューブ３０の内部は、高真空になっている。ＣＲＴ３の画像表示面である管面３１は、フラット（平面）になっている。
【００１９】
また、ＣＲＴ３のチューブ３０の細くなっている後部の外側には、偏向ヨーク４や磁石５などが取り付けられていて、後部の内側には、電子銃６が内蔵されている。電子銃６から発射した電子ビームＢの進行方向を偏向ヨーク４などで変えながら、電子ビームＢを管面３１の裏面３２に塗布された蛍光膜（図示省略）に所定の走査方式で当てることで、蛍光膜全体が光って、管面３１に画像が表示される。なお、ＣＲＴ３の管面３１近傍の外側は、必要に応じてチューブ３０の強度を高めるために金属バンド７で強く締め付けられている。
【００２０】
かかる構成により、使用者は、例えば、本体ケース２に設けられた図示しない操作部を操作し、所望のチャンネルに合わせることにより、ＣＲＴ３の管面３１に表示される画像を観ることができる。
【００２１】
而して、本発明に従い、図１に示すように、ＣＲＴ３のチューブ３０は、管面３１と、略垂直に位置する裏面３２との間の肉厚が、上端３１ａ側をＴ１、下端３１ｂ側をＴ２としたとき、Ｔ１＞Ｔ２となるように形成する。即ち、上端３１ａ側を厚く、下端３１ｂ側を薄くすることにより、管面３１が、当該管面３１の上端３１ａ側が下端３１ｂ側より張り出す方向に傾斜するように形成する。
【００２２】
本発明者の実験によれば、図２に示すように、管面３１が、裏面３２（垂直軸Ｙ）に対して傾斜する角度θは、この種フラット型ＣＲＴテレビジョン受像機１を設置する環境、即ち、蛍光灯などの照明器具の位置や、外光を取り込む窓の位置などによって異なるが、一般的に、垂直軸Ｙに対して、７〜１３度の範囲に設定するのが好ましい。より好ましくは、角度θを、９〜１１度の範囲に設定すると、外光Ｌ１は、より効果的に下向きに反射（反射光Ｌ２）され、管面３１に対する映り込みを抑制することができることを確認した。
【００２３】
以上の構成による本実施形態では、ＣＲＴ３の管面３１が、当該管面３１の上端３１ａ側が下端３１ｂ側より張り出す方向に傾斜するように形成されている。従って、管面３１に略水平方向から入ってくる外光Ｌ１は、より効果的に下向きに反射（反射光Ｌ２）され、管面３１に対する映り込みを抑制することができる。しかも、その構成は、管面３１と、裏面３２との間の肉厚を、上端３１ａ側を厚く、下端３１ｂ側を薄くすることにより、当該管面３１の上端３１ａ側が下端３１ｂ側より張り出す方向に傾斜するように形成するのみで良く、極めて簡単である。更に、部品点数も増加することがなく、この種装置のコストの低減を図りつつ、所望の効果を得ることができる。
【００２４】
（第２実施形態）
次に、本発明の第２実施形態について図３および図４を参照しながら説明する。図３は、本発明の第２実施形態に係るフラット型ＣＲＴテレビジョン受像機の概略構成を示す側断面図である。図４は、管面および裏面を傾斜させる角度を説明するための説明図である。なお、図３および図４において、上述した図１および図２と同じ符号を付した部分は、略同一のものを示すため、ここでは詳細な説明は省略する。以下、上述した第１実施形態との相違点を中心に説明する。
【００２５】
本実施形態では、図３および図４に示すように、管面３１の傾斜は、当該管面３１と、裏面３２との間の肉厚を一定にし、チューブ３０の外形を、管面３１が垂直軸Ｙに対して当該管面３１の上端３１ａ側が下端３１ｂ側より張り出す方向に傾斜するように形成し、当該管面３１と、裏面３２とが傾斜する角度θ１、θ２を同一（θ１＝θ２）に構成したものである。
【００２６】
以上の構成による本実施形態よれば、上述した第１実施形態と同様の作用効果を奏する他、チューブ３０の外形の形状を、管面３１が垂直軸Ｙに対して当該管面３１の上端３１ａ側が下端３１ｂ側より張り出す方向に傾斜するようにし、当該管面３１と、裏面３２とが傾斜する角度θ１、θ２を同一にすれば良いので、管面３１と、裏面３２との肉厚を厚くする必要がない。この結果、ＣＲＴ３の重量が増すことがなく、この種装置のより軽量化を図ることができ、都合がよい。
【００２７】
（第３実施形態）
次に、本発明の第３実施形態について図５を参照しながら説明する。図５は、本発明の第３実施形態に係るフラット型ＣＲＴテレビジョン受像機の概略構成を示す側断面図である。なお、図５において、上述した図１乃至図４と同じ符号を付した部分は、略同一のものを示すため、ここでは詳細な説明は省略する。以下、上述した第１実施形態との相違点を中心に説明する。
【００２８】
本実施形態では、図５に示すように、ＣＲＴ３の管面３１の傾斜が、ＣＲＴ３を本体ケース２内に、当該管面３１が垂直軸Ｙに対して当該管面３１の上端３１ａ側が下端３１ｂ側より張り出す方向に傾斜するように、図示しないフレームなどを用いて配置する。
【００２９】
以上の構成による本実施形態よれば、上述した第１実施形態と同様の作用効果を奏する他、ＣＲＴ３を本体ケース２内に、当該管面３１が垂直軸Ｙに対して当該管面３１の上端３１ａ側が下端３１ｂ側より張り出す方向に傾斜するように配置すれば良く、ＣＲＴ３そのものに特別な加工を施す必要がなく、都合がよい。しかも、ＣＲＴ３は、既存のものに対しても適用することができるので、都合がよい。
【００３０】
なお、上述した各実施形態は、本発明の好適な実施例であるが、本発明はこれに限定されるものではなく、本発明の要旨を逸脱しない範囲において、種々変形実施可能である。
【００３１】
例えば、上述した各実施形態では、フラット型ＣＲＴテレビジョン受像機に本発明を適用したが、本発明はこれ以外にも、例えば、ビデオおよびＤＶＤプレーヤが内蔵された内蔵型テレビジョン受像機や、パーソナルコンピュータ用のＣＲＴディスプレイのようなフラット型ＣＲＴ表示装置に適用してもよいのは、勿論である。
【図面の簡単な説明】
【００３２】
【図１】本発明の第１実施形態に係るフラット型ＣＲＴ表示装置であるフラット型ＣＲＴテレビジョン受像機の概略構成を示す側断面図である。
【図２】管面を傾斜させる角度を説明するための説明図である。
【図３】本発明の第２実施形態に係るフラット型ＣＲＴ表示装置であるフラット型ＣＲＴテレビジョン受像機の概略構成を示す側断面図である。
【図４】管面および裏面を傾斜させる角度を説明するための説明図である。
【図５】本発明の第３実施形態に係るフラット型ＣＲＴ表示装置であるフラット型ＣＲＴテレビジョン受像機の概略構成を示す側断面図である。
【符号の説明】
【００３３】
１      フラット型ＣＲＴ表示装置（フラット型ＣＲＴテレビジョン受像機）
２      本体ケース
３      ＣＲＴ（Ｃａｔｈｏｄｅ  Ｒａｙ  Ｔｕｂｅ：陰極線管）
３０    チューブ
３１    管面
３１ａ  上端
３１ｂ  下端
３２    裏面
Ｔ１    上端側の肉厚
Ｔ２    下端側の肉厚
θ      角度
θ１    角度
θ２    角度
Ｙ      垂直軸
【図１】
2008198504.tif 000003
【図２】
2008198504.tif 000004
【図３】
2008198504.tif 000005
【図４】
2008198504.tif 000006
【図５】
2008198504.tif 000007